(57)【特許請求の範囲】
【請求項１】
複数のバックライトランプの配置に応じて液晶パネルの表示領域を区分した区分領域ごとに前記液晶パネルの表面で測定された色度に対して、隣接する区分領域どうしの色度差を所定値以下に減少させるように設定された調整パラメータを予め記憶する記憶手段と、
前記区分領域のうち、指定された区分領域に対応するビデオ信号のＲＧＢ成分の階調を、前記調整パラメータに基づいて調整する第１補正手段と、
ビデオ信号が調整された第１の区分領域と該区分領域に隣接する第２の区分領域との間の境界線を含み、第１の区分領域の一部である第１領域と第２の区分領域の一部である第２領域とを合成した領域である合成領域に対応するビデオ信号のＲＧＢ成分の階調を調整する際、前記第１領域及び前記第２領域に対し、前記第１領域と前記第２領域とで異なる前記調整パラメータに基づいて調整を実行する第２補正手段と、
を備えるビデオ信号補正装置。
【請求項２】
複数のバックライトランプの配置に応じて液晶パネルの表示領域を区分した区分領域ごとに前記液晶パネルの表面で測定された色度に対して、隣接する区分領域どうしの色度差を所定値以下に減少させるように設定された調整パラメータを予め記憶する記憶手段から該調整パラメータを取得する過程と、
前記区分領域のうち、指定された区分領域に対応するビデオ信号のＲＧＢ成分の階調を、前記調整パラメータに基づいて調整する第１の過程と、
ビデオ信号が調整された第１の区分領域と該区分領域に隣接する第２の区分領域との間の境界線を含み、第１の区分領域の一部である第１領域と第２の区分領域の一部である第２領域とを合成した領域である合成領域に対応するビデオ信号のＲＧＢ成分の階調を調整する際、前記第１領域及び前記第２領域に対し、前記第１領域と前記第２領域とで異なる前記調整パラメータに基づいて調整を実行する第２の過程と、
を有するビデオ信号補正方法。
【請求項３】
ビデオ信号補正装置のコンピュータに、
複数のバックライトランプの配置に応じて液晶パネルの表示領域を区分した区分領域ごとに前記液晶パネルの表面で測定された色度に対して、隣接する区分領域どうしの色度差を所定値以下に減少させるように設定された調整パラメータを予め記憶する記憶手段から該調整パラメータを取得するステップと、
前記区分領域のうち、指定された区分領域に対応するビデオ信号のＲＧＢ成分の階調を、前記調整パラメータに基づいて調整する第１のステップと、
ビデオ信号が調整された第１の区分領域と該区分領域に隣接する第２の区分領域との間の境界線を含み、第１の区分領域の一部である第１領域と第２の区分領域の一部である第２領域とを合成した領域である合成領域に対応するビデオ信号のＲＧＢ成分の階調を調整する際、前記第１領域及び前記第２領域に対し、前記第１領域と前記第２領域とで異なる前記調整パラメータに基づいて調整を実行する第２のステップと、
を実行させるプログラム。
【発明の詳細な説明】
【技術分野】
【０００１】
本発明は、バックライト駆動型液晶表示装置において用いられる、ビデオ信号の色度を補正する装置、方法、およびプログラムに関する。
【背景技術】
【０００２】
長寿命と高信頼性を要求される分野で使用されるバックライト駆動型液晶表示装置（以下、液晶表示装置）は、バックライトランプが交換できるバックライトランプトレイ方式となっている。これは、使用年数による蛍光ランプの劣化、蛍光ランプ故障（ランプ切れ）等の場合にバックライトランプをトレイ方式で実現することによって保守交換ができるよう提案されたものである。
近年、液晶モジュールの大型化に伴いバックライトランプトレイも複数のトレイ、水平／垂直の方式で搭載され実用化されている。１つのバックライトランプトレイは、複数の蛍光ランプとインバータ駆動回路が一体となって構成されており、例えば３つのバックライトランプトレイ、合計１８本の蛍光ランプを実装した液晶表示装置も提案されている。
【０００３】
このような液晶表示装置では、蛍光ランプの寿命でバックライトランプトレイを交換する場合には、実装される全てのバックライトランプトレイを交換することが推奨されているが、一部のバックライトランプトレイの蛍光ランプ切れの故障の場合でも全てのバックライトランプトレイを交換することが推奨されている。寿命時の交換と同じ全数のバックライトランプトレイを交換する理由は、蛍光ランプ部品の製造時期、ロット（製品の生産単位）により微妙に発色が異なることからバックライトランプトレイの色度が異なり、そのようなバックライトランプトレイが混在すると液晶パネルの表面に色度差が生じるためである。
【０００４】
なお、従来技術として特許文献１〜３が知られている。特許文献１は、表示色の色温度を変更すると、それに対応した輝度になるようバックライトを調整する技術であり、特許文献２は、通電時間に応じたバックライトのむらを液晶表示画面のエリアごとに輝度補正する技術であり、特許文献３は、マルチディスプレイにおいて計測結果をもとにバックライトの明るさ、表示データを補正する技術である。
【特許文献１】特開２００７−１２５３４号公報
【特許文献２】特開２００６−３３０２２２号公報
【特許文献３】特開２００１−１４７６６７号公報
【発明の開示】
【発明が解決しようとする課題】
【０００５】
上記のように、従来、ユーザは一部のランプ切れの場合でもバックライトランプトレイを全数交換する必要があり、ユーザには保守に係る費用が増大してしまう欠点があった。また、部品供給元では、厳密な精度基準が要求されるため、蛍光ランプ部品の光学仕様範囲を広げることができず、ユーザは調達先を広げることもできない。
すなわち、液晶表示装置においてバックライトランプトレイ交換方式を採用している場合、バックライトランプトレイを全数でなく一部のみ交換すると微妙なランプ色度の違いを裸眼で認識できてしまう。これを、図１４に示す上段、中段、下段の３つのバックライトランプトレイで構成される液晶表示装置について説明する。例えば、中段のバックライトランプトレイが故障し、トレイ交換した際に上段−中段、中断−下段のバックライトランプトレイ間で、微妙なランプの色度の違いにより液晶パネル表面に生じる色度差を裸眼で認識できる場合を図１５に示す。このため、一部のランプ切れによる交換であっても、全てのバックライトランプトレイを交換する必要がある。なお、バックライトランプトレイは図１６に示すように垂直に配置される場合もある。このような場合には、色度の異なる領域が垂直方向に現れる。
【０００６】
本発明は、上記の課題に鑑みてなされたものであり、バックライト駆動型液晶表示装置において、各光源のランプ特性の差に起因して生じるバックライト光の色味の変化をランプトレイ単位に補正することにより、ユーザに違和感を与えることなく画面表示を行うことを目的とする。
【課題を解決するための手段】
【０００７】
本発明によるビデオ信号補正装置は、複数のバックライトランプの配置に応じて液晶パネルの表示領域を区分した区分領域ごとに前記液晶パネルの表面で測定された色度に対して、隣接する区分領域どうしの色度差を所定値以下に減少させるように設定された調整パラメータを予め記憶する記憶手段と、前記区分領域のうち、指定された区分領域に対応するビデオ信号のＲＧＢ成分の階調を、前記調整パラメータに基づいて調整する第１補正手段と、ビデオ信号が調整された第１の区分領域と該区分領域に隣接する第２の区分領域との間の境界線を含み、第１の区分領域の一部である第１領域と第２の区分領域の一部である第２領域とを合成した領域である合成領域に対応するビデオ信号のＲＧＢ成分の階調を調整する際、前記第１領域及び前記第２領域に対し、前記第１領域と前記第２領域とで異なる前記調整パラメータに基づいて調整を実行する第２補正手段と、を備える。
【０００８】
本発明によるビデオ信号補正方法は、複数のバックライトランプの配置に応じて液晶パネルの表示領域を区分した区分領域ごとに前記液晶パネルの表面で測定された色度に対して、隣接する区分領域どうしの色度差を所定値以下に減少させるように設定された調整パラメータを予め記憶する記憶手段から該調整パラメータを取得する過程と、前記区分領域のうち、指定された区分領域に対応するビデオ信号のＲＧＢ成分の階調を、前記調整パラメータに基づいて調整する第１の過程と、ビデオ信号が調整された第１の区分領域と該区分領域に隣接する第２の区分領域との間の境界線を含み、第１の区分領域の一部である第１領域と第２の区分領域の一部である第２領域とを合成した領域である合成領域に対応するビデオ信号のＲＧＢ成分の階調を調整する際、前記第１領域及び前記第２領域に対し、前記第１領域と前記第２領域とで異なる前記調整パラメータに基づいて調整を実行する第２の過程と、を有する。
【０００９】
本発明によるプログラムは、ビデオ信号補正装置のコンピュータに、複数のバックライトランプの配置に応じて液晶パネルの表示領域を区分した区分領域ごとに前記液晶パネルの表面で測定された色度に対して、隣接する区分領域どうしの色度差を所定値以下に減少させるように設定された調整パラメータを予め記憶する記憶手段から該調整パラメータを取得するステップと、前記区分領域のうち、指定された区分領域に対応するビデオ信号のＲＧＢ成分の階調を、前記調整パラメータに基づいて調整する第１のステップと、ビデオ信号が調整された第１の区分領域と該区分領域に隣接する第２の区分領域との間の境界線を含み、第１の区分領域の一部である第１領域と第２の区分領域の一部である第２領域とを合成した領域である合成領域に対応するビデオ信号のＲＧＢ成分の階調を調整する際、前記第１領域及び前記第２領域に対し、前記第１領域と前記第２領域とで異なる前記調整パラメータに基づいて調整を実行する第２のステップと、を実行させる。
【発明の効果】
【００１０】
従って、本発明によれば、複数のバックライトランプの配置に応じて液晶パネルの表示領域を区分した区分領域のうち、指定された区分領域に対応するビデオ信号のＲＧＢ成分の階調を調整し、ビデオ信号が調整された区分領域と、該区分領域に隣接する区分領域との間の境界線を含む合成領域に対応するビデオ信号のＲＧＢ成分の階調を調整することにより、交換した箇所のバックライトランプランプトレイで発生する微妙な色味の違いを補正し、液晶表示装置内で色度補正を行うことができるため、故障したバックライトランプトレイだけを交換すれば良いことになる。
【発明を実施するための最良の形態】
【００１１】
まず、図１を参照して、本発明の一実施形態による液晶表示装置の構成を説明する。この液晶表示装置は、制御端末１００、制御回路２００、ＬＣＤモジュール３００を有する。
【００１２】
制御端末１００は、ユーザがＯＳＤ（オンスクリーンディスプレイ）操作を行うために使用される。これは、ユーザが、液晶表示装置に入力されるビデオ信号による画像に重ねて表示される設定画面を見ながら制御端末１００に設けられたボタン等で操作を行い、制御回路２００に入力を与えるものである。
【００１３】
制御回路２００は、ビデオ信号入力部２１０、制御基本部２２０、ビデオ信号出力部２３０を有する。
ビデオ信号入力部２１０にはデジタル信号（例えば、ＲＧＢ各８ビットで階調が表現されるデジタル信号）またはアナログ信号が入力される。
制御基本部２２０は、調光コントロール部２２１、制御部２２２、カラーコントロール部２２３、色度補正部２２４を有する。
制御端末１００を使用したＯＳＤ操作により設定が行われると、調光コントロール部２２１はランプ輝度を調整する制御信号をＬＣＤモジュール３００の調光回路部３１０に送出する。このインタフェースはアナログ直流電圧が用いられる。この制御は、ＭＰＵ（マイクロプロセッシングユニット、すなわち、マイコン制御回路）を使用して実現することが可能である。
カラーコントロール部２２３は、ビデオ信号入力部２１０からの入力画像データに対して出力レベルを変換する。この制御はＦＰＧＡ（field-programmable grid array（すなわち、論理回路））により実現し、変換のパラメータ設定および制御はＭＰＵ（マイコン制御回路）を使用して実現することが可能である。
色度補正部２２４は、制御端末１００を使用したＯＳＤ操作により、色度の補正量を表わすレジスタ値を決定するために必要な情報が入力されると、液晶パネルの表示領域のうち所定の領域についてビデオ信号の色度を補正する。あるいは、遠隔からＲＳ−２３２Ｃ等を通じて制御部２２２に接続する手段を設け、色度補正部２２４の上記のレジスタ値を直接に設定してもよい。一実施形態として、色度補正部２２４は論理回路として実装される。あるいは、ＭＰＵに色度補正処理を実行させるプログラムを実装してもよい。
ビデオ信号出力部２３０は、制御基本部２２０において処理されたビデオ信号を、ＬＣＤモジュール３００のビデオ信号入力部３４０にデジタル信号で出力する。この処理はＦＰＧＡにより実現し、変換のパラメータ設定および制御はＭＰＵを使用して実現することが可能である。
【００１４】
ＬＣＤモジュール３００は、調光回路部３１０、電源部３２０、バックライトランプユニット基本部３３０、ビデオ信号入力部３４０、制御基本部３５０、駆動回路基本部３６０を有する。
調光回路部３１０は、調光コントロール部２２１から入力される制御信号によりランプ輝度を制御する。これは、バックライトランプユニット基本部３３０のバックライトインバータ部３３１に入力する制御信号のデューティ比を調整することによりバックライトランプ部３３２のランプ輝度を制御する。上述したように、１つのバックライトランプトレイは、複数の蛍光ランプとインバータ駆動回路が一体となって構成されており、１つのバックライトランプトレイがバックライトランプユニット基本部３３０に相当し、そのバックライトランプトレイの複数の蛍光ランプがバックライトランプ部３３２に相当し、そのバックライトランプトレイのインバータ駆動回路がバックライトインバータ部３３１に相当する。従って、３つのバックライトランプトレイを有する実施形態では、バックライトランプユニット基本部３３０が３つ存在し、これらを１つの調光回路部３１０が制御する。
制御基本部３５０は、基本部３５１、電圧制御部３５２、階調制御部３５３を有し、階調制御部３５３は色温度の基本となるガンマ特性を制御する。
駆動回路基本部３６０は、ソース駆動回路部３６１、３６２とゲート駆動回路部３６３、３６４の制御により画像を表示する。駆動回路基本部３６０は液晶パネルに相当する。
【００１５】
液晶パネル表面に生じる色度に影響を与える処理は、上記の調光コントロール部２２１、カラーコントロール部２２３、色度補正部２２４により行われる。これについて、図２に示す現在の一般的な処理と、図３に示す本実施形態の処理とを比較して説明する。
図２に示す現在の一般的な処理では、ビデオ信号が液晶表示装置に入力されると、バックライトランプのランプ輝度を補正する調光コントロール処理とビデオ信号の色度を調整するカラーコントロール処理が行われ、調光コントロール処理によりバックライトランプから出力される光と、カラーコントロール処理により液晶パネルから出力される光が合成されて液晶パネル表面に色度を生じさせる。なお、カラーコントロール処理における色度の調整は、従来、モニタ間の色度の補正、或いはマスターカラーに対する色度の補正が行われる。これは液晶パネル表面の色度が常に一定範囲であるという前提で行われるので、バックライトランプトレイ間で液晶パネル表面に色度のばらつきが生じた場合には、容易に補正することはできなかった。
これに対し、図３に示す本実施形態の処理では、カラーコントロール処理により調整されたビデオ信号の色度を補正する色度補正処理を行う。この処理は、バックライトランプトレイによる色度差を補正するようにビデオ信号を調整する。
なお、図２、図３は信号の入出力関係を表わすのではなく、調光コントロール処理によりバックライトから出力される光と、カラーコントロール処理（図３ではカラーコントロール処理と色度補正処理）により液晶パネルから出力される光が合成されて液晶パネル表面に色度を生じさせることを図式的に表わしている。
【００１６】
以下、色度補正部２２４による処理を説明する。図４は、下段のバックライトランプトレイのみを交換したことにより課題として液晶パネル表面に色度差が生じた例である。例えば、図４に示すように、液晶表示装置がビデオ信号の垂直期間内に２０４８ライン、水平期間内に２０４８画素を表示する、すなわち、２０４８×２０４８画素の有効表示エリアを持つ場合に、バックライトランプの物理的な配置に応じて液晶パネルの表示領域を区分して定義される区分領域として、２０４８ラインを区分して、上段（Ｕ）、下段（Ｄ）の区間をそれぞれ６８３ラインとし、中段（Ｍ）の区間を６８２ラインと区間設定した。このとき、図５に示すように、上段（Ｕ）と中段（Ｍ）がほぼ同じ色度を持ち、下段（Ｄ）だけ色度が異なり、液晶パネル表面で測定した色度は、例えば、以下のような値である。
上段（Ｕ）中央：白色系（０．３０８９，０．３１１７）
中段（Ｍ）中央：白色系（０．３０８９，０．３１１７）
下段（Ｄ）中央：白青系（０．３０１４，０．３１６１）
また、表１は、液晶表示装置の有効表示エリアの複数のラインについて測定した値を示す。なお、図５および表１に示すライン番号は、最下段から最上段に向かって増加するように付与し、中段（Ｍ）中央、下段（Ｄ）中央の色度は、それぞれ、表１の１０２４ライン、３４１ラインの色度を採用した。
【００１７】
【表１】
0004691070.tif 000002
【００１８】
図５および表１に示す場合には、下段（Ｄ）のバックライトランプトレイにより液晶パネル表面に生じる色度が白青系であるので、上段（Ｕ）、中段（Ｍ）と同色の白色系にすることで、液晶パネル表面の色度差を一定にすることができる。一般に人間の目に感じられる色度差は０．００１〜０．００１５の差であり０．００１５以下の色度差にすることが目標である。
【００１９】
そこで、本実施形態では、図４に示すようにバックライトランプトレイの配置に対応する上段、中段、下段の区間を定め、バックライトランプトレイ単位の範囲で色度補正する第１補正手段と、各段の色度が交差する合成区間を設け、この合成区間の色度を補正する第２補正手段とを色度補正部２２４に備えることにより、液晶パネルに入力するビデオ信号を補正する。合成区間とは、以下に示す例では、上段と中段の境界線の上下の所定数のラインから成る区間、および、中段と下段の境界線の上下の所定数のラインから成る区間である。このように、第２補正手段では、第１補正手段により個々に色度補正された区間にまたがる合成区間を設定することにより、第１補正手段で個々に色度補正された区間の合成を行うことができる。
なお、第１補正手段の補正対象となる領域は、複数のバックライトランプの配置に応じて液晶パネルの表示領域を区分した領域であればよく、第２補正手段の補正対象となる領域は、区分された領域どうしが隣接する境界線を含む領域であればよい。例えば、バックライトランプトレイの数は３つに限定されない。また、図１６に示すようにバックライトランプトレイが縦に配置される場合でも、この配置に対応するように液晶パネルの表示領域を区分し、区分された領域どうしが隣接する境界線を含む領域を設定することができ、これらの領域を第１および第２補正処理手段の補正対象とすることが可能である。
【００２０】
次に、上記の第１および第２補正手段による処理（補正処理１、補正処理２）の概要を図６および図７に示す。図６および図７のグラフのｘ軸は液晶表示装置の有効表示エリアの最下段からのライン番号を表わし、ｙ軸は色度Ｗｘ，Ｗｙの値を表わす。グラフの実線は補正処理を行う前の色度Ｗｘ，Ｗｙの値を示し、グラフの破線は補正処理を行った後の色度Ｗｘ，Ｗｙの値を示す。
（１）補正処理１：図４の例では、白青系である下段（Ｄ）中央（３４１ライン）の色度が、白色である中段（Ｍ）中央（１０２４ライン）の色度になるように下段（Ｄ）（１〜６８３ライン）の処理を行う。
（２）補正処理２：補正処理１を行うと合成区間の色度差が発生するため、その色度を平坦化する必要から、図７に示す逆色度になる合成区間の範囲において、各ラインの色度補正を行う。
【００２１】
上記の補正処理をする区間は、図８、図９に示すようにあらかじめ決定され、表２に示す情報を色度補正部２２４のレジスタに設定する。通常、区間はレジスタにて設定するので可変である。補正処理２の処理対象としては、バックライトランプトレイ間の境界線で色度が頂点を形成するとみなすことができるので、境界線ごとにＡとＢの境界区間（表２の境界１Ａと境界１Ｂ、および、境界２Ａと境界２Ｂ）を構成することができる。
【００２２】
【表２】
0004691070.tif 000003
【００２３】
なお、バックライトランプ特性により境界線を含む区間での処理を必要としない場合には区間によって補正処理を無効にしてもよい。
また、重複して補正処理を行う区間においては、補正処理を加算して行ってもよい。例えば、表２では、補正処理２が適用される境界２Ｂ（４８３〜６８３ライン）は、補正処理１が適用される下段（１〜６８３ライン）と重複する。これらの区間は、図８において、補正処理２のライン処理区間として４８３〜６８３ラインの範囲に表わされ横方向の矢印と、補正処理１のライン処理区間として１〜６８３ラインの範囲に表わされた横方向の矢印に対応する。しかし、４８３〜６８３ラインの範囲に補正処理１と補正処理２の両方を適用して得られる結果が、１回の補正処理（仮に「補正処理２’」とする）によって得られるならば、下段から重複部分を除いた１〜４８２ラインに補正処理１を適用し、４８３〜６８３ラインに補正処理２’を適用してもよい。図８において補正処理１のライン処理区間として、１〜４８２ラインの範囲に表わされた横方向の矢印は、このような場合を表わす。すなわち、補正処理１の対象となる領域は、複数のバックライトランプの配置に応じて液晶パネルの表示領域を区分した個々の領域において、当該領域の全部である場合も、一部である場合も含む。
【００２４】
図３を詳細化して上記の処理を示すと図１０の通りである。調光コントロール処理はゲイン調整によりバックライトランプのランプ輝度を調整する。カラーコントロール処理は、ビデオ信号のゲイン／オフセット調整およびＲＧＢ各成分のカラーバランス調整を行う。色度補正処理は、カラーバランス調整されたＲＧＢ各成分について、上段（Ｕ）、中段（Ｍ）、下段（Ｄ）に分けて上述した補正処理１を行い、合成区間（Ｕ−Ｍ）、合成区間（Ｍ−Ｄ）に含まれるＲＧＢ各成分について上述した補正処理２を行う。ここで、合成区間（Ｕ−Ｍ）は、例えば、上述した表２の境界１Ａと境界１Ｂに相当し、合成区間（Ｍ−Ｄ）は、例えば、上述した表２の境界２Ａと境界２Ｂに相当する。
【００２５】
次に、補正処理１、補正処理２において各区間をどのように補正するか説明する。液晶パネルにおいて白色色度を決定しているのは、赤成分、緑成分及び青紫成分であるので、バックライトランプトレイ単位に異なる色度についてもＲＧＢカラーを色成分調整することで解決する。
まず、図１１を参照して色味に対し各色度を変換する原理について説明する。図１１は、白色色度の指向特性についてカラー表示したものを白黒の濃淡により示す。色味の中心を白色とする。色味が白青（シアン）系であれば、色度Ｗｘはマイナス方向にあるのでＷｘをプラス方向にシフトすれば良い。逆に白赤系であれば、Ｗｘはプラス方向にあるのでＷｘをマイナス方向にすれば良い。白緑系であれば、色度Ｗｙはプラス方向にあるのでＷｙをマイナス方向にシフトすれば良い。逆に白紫系であれば、色度Ｗｙはマイナス方向にあるのでＷｙをプラス方向にシフトすれば良い。同様に白青系であれば、色度Ｗｘ、Ｗｙはマイナス方向にあるので、Ｗｘ、Ｗｙをプラス方向にシフトすれば良い。逆に白黄色系であればＷｘ、Ｗｙはプラス方向にあるのでマイナスにシフトすれば良い。
この指向性をレジスタパラメータにより変換できるように、色度変換に必要なレジスタ設定値を定めることで調整が可能である。ＲＧＢ単色での色度変換例を表３に示し、レジスタ設定値に対応する色度補正割合を表４に示す。レジスタ設定値は、例えば各ＲＧＢの色度差±０．０１５をレジスタ設定値±１０の幅で調整する、すなわち、レジスタ設定値を＋０．０１５／１０のステップで変化させ、±０．００１５／ステップの分解を持つ色度変換テーブルを用意する。ステップ数を増やし、さらに細かく調整することも可能である。
【００２６】
【表３】
0004691070.tif 000004
【００２７】
【表４】
0004691070.tif 000005
【００２８】
表３のＲ色の色度調整の例は、色味が白青（シアン）、測定された色度Ｗｘ,Ｗｙが０．２８５，０．３１０であるときＷｘをプラス方向にシフトするためレジスタ設定値を１０（表４によれば対応する色度補正割合は約１．０９）とし、色味が白赤（ピンク）、測定された色度Ｗｘ,Ｗｙが０．３０８，０．３１２であるときＷｘをマイナス方向にシフトするためレジスタ設定値を−１０（表４によれば対応する色度補正割合は約０．９）とすることを表わす。
Ｇ色の色度調整の例は、色味が白紫、測定された色度Ｗｘ,Ｗｙが０．２９８，０．２８６であるときＷｙをプラス方向にシフトするためレジスタ設定値を１０とし、色味が白緑、測定された色度Ｗｘ,Ｗｙが０．３０１，０．３２１であるときＷｙをマイナス方向にシフトするためレジスタ設定値を−１０とすることを表わす。
Ｂ色の色度調整の例は、色味が白青、測定された色度Ｗｘ,Ｗｙが０．２９５，０．３０８であるときＷｘ, Ｗｙをプラス方向にシフトするためレジスタ設定値を１０とし、色味が白黄、測定された色度Ｗｘ,Ｗｙが０．３１３，０．３２９であるときＷｘ, Ｗｙをマイナス方向にシフトするためレジスタ設定値を−１０とすることを表わす。
【００２９】
表３に例示した色度差ΔＷｘ,ΔＷｙ（測定されたＷｘ,Ｗｙと白色のＷｘ,Ｗｙとの差）と、ＲＧＢの色度調整のレジスタ設定値との関係は実験により得られるので、ΔＷｘ,ΔＷｙをそれぞれ所定の刻みで変化させて変換テーブルを作成することができる。バックライトランプ特性によりＲＧＢ色度は広がり（奥行き）を持つことから、本実施形態では、表５に示すように、単色の調整レジスタ設定値以外にも複数の色度を同時に調整できる色度の選択と重み付けをする指向性色度変換テーブルを用いる。このテーブルは、色度補正部２２４に記憶手段を設け、予め記憶させておく。バックライトランプ特性に合わせ、このテーブルの設定値を用いて調整する。表５の横軸は、０．００１５を単位としてΔＷｘの値を表わし、縦軸は、０．００１５を単位としてΔＷｙの値を表わす。例えば、＋１０，＋１０に位置するＲ０，Ｇ０，Ｂ−１０は、Ｒ，Ｇ，Ｂそれぞれのレジスタ設定値を０，０，−１０とすることを表わす。表５の値が省略された箇所についても、実験により適切なレジスタ設定値を求めてこのテーブルを埋めることが可能である。また、表５は、一例として、色度差±０．０１５の範囲を±１０の刻みで構成したが、±２０の刻みで構成することも可能である。なお、表４の色度補正割合は、液晶パネル表面において実際に色度が変化する割合とは異なるので、この色度変換テーブルは有効である。
補正処理１では、このようにレジスタ設定値が与えられると、そのレジスタ設定値に対応する色度補正割合（表４）で、該当する区間のＲＧＢ各成分の階調が調整され、それによって色度が補正される。
【００３０】
【表５】
0004691070.tif 000006
【００３１】
補正処理２は、補正処理１を実行した後、バックライトランプトレイの境界区間において、より滑らかに色度を補間する。このため補正処理２では、補正処理１で用いられる指向性色度変換テーブルに加え、色度変換の深度係数と可変範囲内で分割係数を与え、あらかじめこれらの係数をレジスタ設定値として持つ。例えば、指向性色度変換テーブルに加え、以下の係数を定義する。
【００３２】
分割係数  ：  Ｎ＝２〜１０，
深度係数  ：  Ｋ［ｎ］＝０．１〜０．５，  ｎは０からＮ−１
【００３３】
深度係数は分割係数毎に持つ。すなわち、分割係数ごとに対応する境界色度変換テーブルを持つ。このテーブルは、色度補正部２２４に記憶手段を設け、予め記憶させておく。表６に示すように、指向性色度変換テーブルにあるレジスタ設定値に対して、補正処理２の対象となる境界１Ａ、１Ｂ、２Ａ、２Ｂそれぞれについて分割係数が設定されると、境界色度変換テーブルを参照して各区間の深度係数が定まり、分割係数により分割された区間ごとに「深度係数＊レジスタ設定値」（記号「＊」は乗算を意味する）を適用させる。補正処理２で使用される各区間の分割係数は、予めレジスタ値として設定してもよいし、補正処理２を行う前にユーザが設定してもよい。
【００３４】
【表６】
0004691070.tif 000007
【００３５】
例えば、補正処理１でのレジスタ設定値がＲ０，Ｇ０，Ｂ１０であり、補正処理２で境界１Ａと１Ｂの区間をそれぞれ分割係数５とした場合、例えば、
【００３６】
分割係数  ：  Ｎ＝５，
深度係数  ：  Ｋ［ｎ］＝０．１＊ｎ，  ｎは０からＮ−１，
Ｋ［０］＝０．１  →（Ｒ０，Ｇ０，Ｂ１），
Ｋ［１］＝０．２  →（Ｒ０，Ｇ０，Ｂ２），
Ｋ［２］＝０．３  →（Ｒ０，Ｇ０，Ｂ３），
Ｋ［３］＝０．４  →（Ｒ０，Ｇ０，Ｂ４），
Ｋ［４］＝０．５  →（Ｒ０，Ｇ０，Ｂ５）
【００３７】
と定める。なお、区間分割は、等分割を基本とするが、所定の比例で分割してもよい。図９を参照して上記の深度係数がどのように適用されるか一例を説明すると、境界２Ｂと示す区間を５つに等分割し、図９のこの区間はｘ軸が示すライン番号が増加するに従って補正すべき量が大きくなっていることから、等分割された５つの区間にそれぞれＫ［４］，Ｋ［３］，Ｋ［２］，Ｋ［１］，Ｋ［０］の順で深度係数を適用する。また、境界２Ａと示す区間も５つに等分割し、図９のこの区間はｘ軸が示すライン番号が増加するに従って補正すべき量が小さくなっていることから、等分割された５つの区間にそれぞれＫ［０］，Ｋ［１］，Ｋ［２］，Ｋ［３］，Ｋ［４］の順で深度係数を適用する。
【００３８】
以上のように定義されるパラメータを用いて補正処理１、補正処理２を表わすと次の通りである。また、図１２は、図１０の色度補正処理を以上のように定義されるパラメータを用いて表わしたものである。
【００３９】
（１）補正処理１
Yr1/2/3＝Gr1/2/3＊Xr1/2/3，
Yg1/2/3=Gg1/2/3＊Xg1/2/3，
Yb1/2/3=Gb1/2/3＊Xb1/2/3，
Yr/g/b1/2/3は出力色度（ＲＧＢ成分の階調），Xr/g/b1/2/3は入力色度（ＲＧＢ成分の階調），
Gr1/2/3,Gg1/2/3,Gb1/2/3＝レジスタ設定値に対応する色度補正割合（表４），
補正対象は、上段、中段、下段に適用する。
【００４０】
（２）補正処理２
Yr4/5/6/7=K[n]＊Gr4/5/6/7＊Xr4/5/6/7，nは0からN-1，
Yg4/5/6/7=K[n]＊Gg4/5/6/7＊Xg4/5/6/7，nは0からN-1，
Yb4/5/6/7=K[n]＊Gb4/5/6/7＊Xb4/5/6/7，nは0からN-1，
Gr4/5/6/7,Gg4/5/6/7,Gb4/5/6/7＝レジスタ設定値に対応する色度補正割合（表４），
Yr/g/b4/5/6/7は出力色度（ＲＧＢ成分の階調），Xr/g/b4/5/6/7は入力色度（ＲＧＢ成分の階調），
N＝分割係数（境界区間内の分割数），K[n]＝深度係数（nは0からN-1），
補正対象は、境界１Ａ、境界１Ｂ、境界２Ａ、境界２Ｂに適用する。各区間で使用するレジスタ設定値は、補正処理１でその区間を含む区間について使用したレジスタ設定値と同じ。
【００４１】
図１３は、色度補正の処理フローを表わす。ユーザは、図４に示す上段（Ｕ）、中段（Ｍ）、下段（Ｄ）について、例えば各区間の中央の位置で液晶パネル表面の色度を測定し、基準トレイ、調整トレイを決定する（ステップＳ１、Ｓ２）。そして、調整トレイの色度Ｗｘ,Ｗｙから基準トレイの色度Ｗｘ,Ｗｙをそれぞれ減算してΔＷｘ,ΔＷｙを求め、色度補正部２２４に入力する（ステップＳ３）。色度補正部２２４は、ΔＷｘ,ΔＷｙが０．００１５を単位としてそれぞれ−１０〜＋１０のどの値に該当するか求め、指向性色度変換テーブル（表５）からＲ，Ｇ，Ｂのレジスタ設定値を取得する（ステップＳ４）。ステップＳ５〜Ｓ７の処理は上述した通り、色度補正部２２４が行う。
なお、ステップＳ３でユーザがΔＷｘ,ΔＷｙを入力せずに、ステップＳ４におけるレジスタ設定値の取得までを行ってから、このレジスタ設定値を色度補正部２２４に入力してもよい。
色度補正部２２４への入力は、図１を参照して説明した通り、制御端末１００を使用してＯＳＤ操作により行うか、ＲＳ−２３２Ｃ等を通じて色度補正部２２４のレジスタ値を直接に設定する。
また、ユーザが各区間について測定された色度Ｗｘ,Ｗｙおよび基準となる色度Ｗｘ,Ｗｙを色度補正部２２４に入力し、色度補正部２２４がステップＳ１〜Ｓ４の処理を行ってもよい。例えば、ステップＳ１の基準トレイは、基準となる色度との色度差が０．０００５より小さい色度が測定されたトレイとし、そうでないトレイのうち１つ（複数存在すれば、ステップＳ８からＳ２に戻る）をステップＳ２の調整トレイとする。そして、ステップＳ３で調整トレイのＷｘ,Ｗｙから基準トレイのＷｘ,Ｗｙをそれぞれ減算してΔＷｘ,ΔＷｙを求め、ステップＳ４でΔＷｘ,ΔＷｙが０．００１５を単位としてそれぞれ−１０〜＋１０のどの値に該当するか求め、指向性色度変換テーブル（表５）からＲ，Ｇ，Ｂのレジスタ設定値を取得する。
【００４２】
上記により、液晶表示装置において、各光源のランプ特性の差に起因して生じるバックライト光の色味の変化をランプトレイ単位に補正することにより、ユーザに違和感を与えることなく画面表示を行える。
【産業上の利用可能性】
【００４３】
バックライトランプ駆動型でバックライトが交換可能な液晶表示装置において有効である。
【図面の簡単な説明】
【００４４】
【図１】本発明の一実施形態による液晶表示装置の構成を表わすブロック図である。
【図２】色度に関する現在の一般的な処理を表わす。
【図３】色度に関する本実施形態の処理を表わす。
【図４】液晶表示装置の有効表示エリアと区間の定義例を表わす。
【図５】ランプの色度の違いが現れる場合を表わす。
【図６】補正処理１の概要を表わす。
【図７】補正処理２の概要を表わす。
【図８】補正処理１の処理区間を表わす。
【図９】補正処理２の処理区間を表わす。
【図１０】色度補正処理の概要を表わす。
【図１１】白色色度の指向特性を表わす。
【図１２】色度補正処理を表わす。
【図１３】色度補正の処理フローを表わす。
【図１４】バックライトランプトレイの配置を表わす。
【図１５】ランプの色度の違いが現れる場合を表わす。
【図１６】バックライトランプトレイの配置を表わす。
【符号の説明】
【００４５】
１００  制御端末
２００  制御回路
２１０  ビデオ信号入力部
２２０  制御基本部
２２１  調光コントロール部
２２２  制御部
２２３  カラーコントロール部
２２４  色度補正部
２３０  ビデオ信号出力部
３００  ＬＣＤモジュール
３１０  調光回路部
３２０  電源部
３３０  バックライトランプユニット基本部
３３１  バックライトインバータ部
３３２  バックライトランプ部
３４０  ビデオ信号入力部
３５０  制御基本部
３５１  基本部
３５２  電圧制御部
３５３  階調制御部
３６０  駆動回路基本部
３６１、３６２  ソース駆動回路部
３６３、３６４  ゲート駆動回路部
【図１】
0004691070.tif 000008
【図２】
0004691070.tif 000009
【図３】
0004691070.tif 000010
【図４】
0004691070.tif 000011
【図５】
0004691070.tif 000012
【図６】
0004691070.tif 000013
【図７】
0004691070.tif 000014
【図８】
0004691070.tif 000015
【図９】
0004691070.tif 000016
【図１０】
0004691070.tif 000017
【図１１】
0004691070.tif 000018
【図１２】
0004691070.tif 000019
【図１３】
0004691070.tif 000020
【図１４】
0004691070.tif 000021
【図１５】
0004691070.tif 000022
【図１６】
0004691070.tif 000023